(57)【特許請求の範囲】
【請求項１】
熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、
電力と熱とを発生する熱電併給部と、
前記熱電併給部で発生した熱を回収する冷却水を循環する冷却水循環路と、
貯湯タンクに貯留される湯水を循環する湯水循環路と、
前記冷却水循環路を循環する冷却水と、前記湯水循環路を循環する湯水とを熱交換する排熱回収熱交換器とを備え、
運転を制御する本体側制御部を備えたコージェネレーションシステムであって、
前記暖房用循環路において、前記暖房放熱器を通過した後の熱媒を受け入れる本体側熱媒受入部から、前記熱源機側熱媒受入部に接続される本体側熱媒吐出部までの間で、熱媒を通流させる熱媒流路と、
前記冷却水循環路を通流する冷却水と前記熱媒流路を通流する熱媒とを熱交換させる暖房用熱交換器と、
前記熱源機に設けられる熱源機側通信部と通信する本体側通信部を備え、
前記本体側制御部が、前記本体側通信部及び前記熱源機側通信部を介して前記熱源機に設けられる熱源機側制御部から、前記暖房運転において前記熱源機側熱媒吐出部から吐出される熱媒の吐出温度の目標温度に関する目標温度関連情報を受信し、当該目標温度関連情報に基づいて、湯水を前記湯水循環路の前記排熱回収熱交換器を介して循環させる湯水循環状態を制御する湯水循環状態制御を実行するコージェネレーションシステム。
【請求項２】
前記暖房用循環路は、循環する熱媒の全流量を、前記本体側の前記暖房用熱交換器へ導く本体側熱媒流路が設けられている請求項１に記載のコージェネレーションシステム。
【請求項３】
前記暖房用循環路には、循環する熱媒から所定流量を取り出し前記本体側の前記暖房用熱交換器へ導いた後に循環する熱媒へ戻す本体側熱媒流路が設けられる請求項１に記載のコージェネレーションシステム。
【請求項４】
前記本体側制御部は、前記本体側通信部及び前記熱源機側通信部を介して前記熱源機側制御部から、前記目標温度関連情報として前記暖房運転が低温暖房運転か高温暖房運転の何れかであるという情報を受信する請求項１〜３の何れか一項に記載のコージェネレーションシステム。
【請求項５】
前記本体側制御部が、前記本体側通信部及び前記熱源機側通信部を介して前記熱源機側制御部から、前記目標温度関連情報として前記暖房運転が高温暖房運転であるという情報を受信した場合、
前記本体側制御部は、前記暖房運転が高温暖房運転であるという情報に基づいて、前記湯水循環状態制御を実行する請求項４に記載のコージェネレーションシステム。
【請求項６】
前記本体側制御部は、前記本体側通信部及び前記熱源機側通信部を介して前記熱源機側制御部から、前記目標温度関連情報として、前記暖房運転が前記低温暖房運転であるという情報を取得した場合、前記目標温度関連情報として、さらに、前記目標温度を直接受信する請求項４に記載のコージェネレーションシステム。
【請求項７】
前記本体側制御部が、前記熱源機の出湯熱媒温度センサの出力である熱源機側出熱媒温度と、前記熱源機の加熱開始時期及び加熱停止時期を受信可能に構成されると共に、前記加熱開始時期における前記熱源機側出熱媒温度と前記加熱停止時期の前記熱源機側出熱媒温度とから前記目標温度としての低温側目標温度を推定するものであり、
前記本体側制御部は、前記熱源機により熱媒が加熱されない時間である非加熱時間が、非加熱判定経過時間を越えている場合、前記目標温度が低い側に変更されたと判定する請求項１に記載のコージェネレーションシステム。
【請求項８】
前記湯水循環状態制御は、前記湯水循環路を循環する湯水に関し、前記排熱回収熱交換器を通流する湯水の流量、及び前記排熱回収熱交換器の入口の湯水の温度のうち、少なくとも何れか一方を制御する請求項１〜７の何れか一項に記載のコージェネレーションシステム。
【請求項９】
前記湯水循環状態制御は、前記湯水循環路を循環する湯水のうち、前記排熱回収熱交換器を通流する湯水の流量を制御するものであり、
前記本体側熱媒吐出部から吐出される熱媒の吐出温度が前記目標温度未満の場合、前記湯水循環状態制御において、前記排熱回収熱交換器を通流する湯水の流量を減少させ、
前記本体側熱媒吐出部から吐出される熱媒の吐出温度が前記目標温度を超える場合、前記湯水循環状態制御において、前記排熱回収熱交換器を通流する湯水の流量を増加させる請求項８に記載のコージェネレーションシステム。
【請求項１０】
前記湯水循環状態制御は、前記湯水循環路を循環する湯水のうち、前記排熱回収熱交換器の入口の湯水の温度を制御するものであり、
前記湯水循環路には、前記貯湯タンクの側へ導く湯水の流量と、前記貯湯タンクをバイパスする湯水バイパス路の側へ導く湯水の流量とを、調整可能な流量調整手段を備え、
前記本体側熱媒吐出部から吐出される熱媒の吐出温度が前記目標温度未満の場合、前記湯水循環状態制御において、前記流量調整手段により前記湯水バイパス路の側へ導かれる湯水の流量を増加させ、
前記本体側熱媒吐出部から吐出される熱媒の吐出温度が前記目標温度を超える場合、前記湯水循環状態制御において、前記流量調整手段により前記湯水バイパス路の側へ導かれる湯水の流量を減少させる請求項８に記載のコージェネレーションシステム。
【請求項１１】
前記冷却水循環路には、前記排熱回収熱交換器及び前記暖房用熱交換器をバイパスする冷却水バイパス路が備えられ、前記排熱回収熱交換器及び前記暖房用熱交換器を通過する冷却水の流量と、前記冷却水バイパス路を通過する冷却水の流量との流量比を制御する冷却水循環状態制御を実行する冷却水循環状態制御手段が設けられている請求項１〜１０の何れか一項に記載のコージェネレーションシステム。
【請求項１２】
前記冷却水循環路は、前記熱電併給部を通過した後の冷却水が、前記排熱回収熱交換器と前記暖房用熱交換器とを記載順に直列に通過するように配設されている請求項１〜１１の何れか一項に記載のコージェネレーションシステム。 
【発明の詳細な説明】
【技術分野】
【０００１】
本発明は、熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、電力と熱とを発生する熱電併給部と、前記熱電併給部で発生した熱を回収する冷却水を循環する冷却水循環路と、貯湯タンクに貯留される湯水を循環する湯水循環路と、前記冷却水循環路を循環する冷却水と、前記湯水循環路を循環する湯水とを熱交換する排熱回収熱交換器とを備え、運転を制御する本体側制御部とを備えたコージェネレーションシステムに関する。
【背景技術】
【０００２】
コージェネレーションシステムは、通常、ガスエンジンにて駆動される発電装置や、燃料電池などから構成される熱電併給部を備え、当該熱電併給部で発電を行ったときに発生する熱を利用して湯水を加熱し、当該加熱された湯水を貯湯タンクに貯留するように構成されている。
このようなコージェネレーションシステムの一つの形態として、暖房放熱器へ熱媒循環路を介して循環する熱媒を加熱する熱源機を併設したものが知られている（特許文献１を参照）。
当該特許文献１に記載の技術では、コ−ジェネレーションシステムにおいて、熱電併給部にて発生する熱にて加熱された湯水、又は貯湯タンクに貯留された湯水を、循環する湯水循環路が設けられるとともに、当該湯水循環路を循環する湯水の熱にて、暖房用循環路を循環する熱媒を加熱する排熱暖房熱交換器（特許文献１では、「加熱用熱交換器１１」）が設けられている。
これにより、コージェネレーションシステムにて発生した熱を、当該コージェネレーションシステムに併設される熱源機側の暖房放熱器へ供給できるようになっている。
【先行技術文献】
【特許文献】
【０００３】
【特許文献１】特開２００６−２９７４５号公報
【発明の概要】
【発明が解決しようとする課題】
【０００４】
上記特許文献１に開示のコージェネレーションシステムでは、暖房運転を実行する場合に、コージェネレーションシステムの本体側が、熱源機側から、暖房運転を実行するか否かの情報は取得しているものの、暖房目標温度等の具体的な暖房負荷に係る情報までは取得しておらず、本体側の運転が、暖房運転に関し、熱効率の観点で、最適化されたものではなかった。また、暖房負荷に係る情報までを取得していないことから、本体側にて熱媒に排熱を与えすぎてしまう場合があり、このような場合には、使用者の意図した温度調整ができなくなり、室温や床温度を下げたいにもかかわらず、下げることができない虞があり、快適性の観点で問題があった。
また、上記特許文献１に開示のコージェネレーションシステムでは、上水として供給されることのある湯水が循環する湯水循環路と、熱媒を循環する暖房用循環路とが、暖房用熱交換器にて熱交換するように構成されているのであるが、当該暖房用熱交換器が破れた場合、圧力の高い上水としての湯水が、暖房用循環路に流れ込み、熱源機の内部に設けられる膨張タンクから湯水が溢れ出す虞があった。
しかも、通常の熱源機は、暖房用循環路を通流する熱媒は、バーナで加熱されるように構成され、他の流体との熱交換により加熱されるようには構成されていないため、熱交換器の破れにより膨張タンクから熱媒（湯水）が溢れ出すことは想定されておらず、膨張タンクに、熱媒（湯水）の溢れ出しを検知する機能は設けられておらず、改善の余地があった。
【０００５】
本発明は、かかる点に着目してなされたものであり、その目的は、コージェネレーションシステムの本体と、暖房放熱器へ循環される熱媒を加熱する熱源機とが別体に構成されているものにおいて、本体側と熱源機側とを適切に連携させた運転を実行することにより、全体としての熱効率及び快適性を向上させながらも、熱交換器破れによる熱源機からの湯水の溢れ出しを防止可能なコージェネレーションシステムを提供する点にある。
【課題を解決するための手段】
【０００６】
上記目的を達成するための本願に係るコージェネレーションシステムは、
熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、
電力と熱とを発生する熱電併給部と、
前記熱電併給部で発生した熱を回収する冷却水を循環する冷却水循環路と、
貯湯タンクに貯留される湯水を循環する湯水循環路と、
前記冷却水循環路を循環する冷却水と、前記湯水循環路を循環する湯水とを熱交換する排熱回収熱交換器とを備え、
運転を制御する本体側制御部を備えたコージェネレーションシステムであって、その特徴構成は、
前記暖房用循環路において、前記暖房放熱器を通過した後の熱媒を受け入れる本体側熱媒受入部から、前記熱源機側熱媒受入部に接続される本体側熱媒吐出部までの間で、熱媒を通流させる熱媒流路と、
前記冷却水循環路を通流する冷却水と前記熱媒流路を通流する熱媒とを熱交換させる暖房用熱交換器と、
前記熱源機に設けられる熱源機側通信部と通信する本体側通信部を備え、
前記本体側制御部が、前記本体側通信部及び前記熱源機側通信部を介して前記熱源機に設けられる熱源機側制御部から、前記暖房運転において前記熱源機側熱媒吐出部から吐出される熱媒の吐出温度の目標温度に関する目標温度関連情報を受信し、当該目標温度関連情報に基づいて、湯水を前記湯水循環路の前記排熱回収熱交換器を介して循環させる湯水循環状態を制御する湯水循環状態制御を実行する点にある。 
【０００７】
上記特徴構成によれば、コージェネレーションシステムの本体側において、熱源機側において保持されている暖房運転の目標温度に関する目標温度関連情報が取得可能に構成されているから、本体側の運転状態を、熱源機側の目標温度関連情報に反映させたものにできる。
即ち、本体側においては、熱源機側にて暖房運転を実行するか否かの情報だけではなく、その目標温度関連情報までをも受信するから、当該目標温度関連情報に基づき、湯水循環路を循環する湯水循環状態を制御することにより、暖房用循環路を通流する熱媒の温度及び熱媒へ供給する熱量を制御できる。これにより、単純に、熱源機側から本体側へ、暖房運転の実行の有無に係る情報のみを送る場合に比べて、本体側において、より一層細やかな制御が実現できる。
【０００８】
また、当該構成においては、熱媒循環路を循環する熱媒が、湯水循環路を循環して上水として供給させることのある湯水と熱交換することはない。このため、例え、暖房用熱交換器の破れが発生した場合であっても、圧力の高い上水が、暖房用循環路を介して、熱源機の側に導かれ、当該熱源機内に設けられる膨張タンクから漏れ出すことを防止できる。
【０００９】
本発明に係るコージェネレーションシステムの更なる特徴構成は、
前記暖房用循環路は、循環する熱媒の全流量を、前記本体側の前記暖房用熱交換器へ導く本体側熱媒流路が設けられている点にある。
【００１０】
上記特徴構成によれば、循環する熱媒の全量を、本体側の暖房用熱交換器へ導くように構成されているから、簡易な構成にて、熱媒を暖房用熱交換器の側へ導くことができる。
【００１１】
本発明に係るコージェネレーションシステムの更なる特徴構成は、
前記暖房用循環路には、循環する熱媒から所定流量を取り出し前記本体側の前記暖房用熱交換器へ導いた後に循環する熱媒へ戻す本体側熱媒流路が設けられる点にある。
【００１２】
通常、暖房用循環路を通流する熱媒の流量は、暖房用循環路に接続される暖房放熱器における暖房負荷（暖房放熱器の稼働台数、種類等）により決定される。従って、当該熱媒の全流量を、暖房用熱交換器の側へ導くように構成すると、当該暖房用熱交換器を通流する熱媒の流量を調整することができなくなる。結果、暖房用熱交換器にて回収する熱量や、暖房用熱交換器の出口での熱媒温度を、熱媒の流量制御により調整することはできない。
上記特徴構成によれば、循環する熱媒から所定流量を取出し、暖房用熱交換器の側へ導く本体側熱媒流路が設けられているから、暖房用熱交換器へ通流させる熱媒の所定流量を制御できる。
これにより、暖房用循環路を通流する熱媒の全流量については、暖房負荷（暖房放熱器の稼働台数等）により制御される状態を維持しながらも、熱媒の循環流量に関係なく、熱媒を取り出し、暖房用熱交換器に導いて、暖房用熱交換器にて回収する熱量や、暖房用熱交換器の出口での熱媒温度を、本体側熱媒流路を通過する熱媒の所定流量の制御により、調整できる。
【００１３】
本発明に係るコージェネレーションシステムの更なる特徴構成は、
前記本体側制御部は、前記本体側通信部及び前記熱源機側通信部を介して前記熱源機側制御部から、前記目標温度関連情報として前記暖房運転が低温暖房運転か高温暖房運転の何れかであるという情報を受信する点にある。 
【００１４】
上記特徴構成によれば、本体側制御部は、本体側通信部及び熱源機側通信部を介して熱源機側制御部から、暖房運転が低温暖房運転と高温暖房運転との何れであるかの情報を受信できるから、当該情報に基づいて、本体側における湯水循環状態を制御できる。 
【００１５】
本発明に係るコージェネレーションシステムの更なる特徴構成は、
前記本体側制御部が、前記本体側通信部及び前記熱源機側通信部を介して前記熱源機側制御部から、前記目標温度関連情報として前記暖房運転が高温暖房運転であるという情報を受信した場合、
前記本体側制御部は、前記暖房運転が高温暖房運転であるという情報に基づいて、前記湯水循環状態制御を実行する点にある。 
【００１６】
上記特徴構成によれば、本体側制御部は、本体側通信部及び熱源機側通信部を介して熱源機側制御部から、暖房運転が高温暖房運転であるという情報を受信できるから、例えば、本体側熱媒吐出部から吐出される熱媒の温度が、高温暖房運転にて必要とされる高い温度（高温側目標温度）に近づくように、湯水循環状態を制御できる。 
【００１７】
本発明に係るコージェネレーションシステムの更なる特徴構成は、
前記本体側制御部は、前記本体側通信部及び前記熱源機側通信部を介して前記熱源機側制御部から、前記目標温度関連情報として、前記暖房運転が前記低温暖房運転であるという情報を取得した場合、前記目標温度関連情報として、さらに、前記目標温度を直接受信する点にある。 
【００１８】
上記特徴構成によれば、本体側制御部は、本体側通信部及び熱源機側通信部を介して熱源機側制御部から、目標温度を直接受信して、当該目標温度に基づいて、湯水循環状態を制御できる。 
【００１９】
本発明に係るコージェネレーションシステムの更なる特徴構成は、
前記本体側制御部が、前記熱源機の出湯熱媒温度センサの出力である熱源機側出熱媒温度と、前記熱源機の加熱開始時期及び加熱停止時期を受信可能に構成されると共に、前記加熱開始時期における前記熱源機側出熱媒温度と前記加熱停止時期の前記熱源機側出熱媒温度とから前記目標温度としての低温側目標温度を推定するものであり、
前記本体側制御部は、前記熱源機により熱媒が加熱されない時間である非加熱時間が、非加熱判定経過時間を越えている場合、前記目標温度が低い側に変更されたと判定する点にある。 
【００２０】
上述のごとく、加熱開始時期の熱媒の吐出温度と、加熱停止時期の熱媒の吐出温度とから、目標温度を推定するように構成している場合で、当該目標温度が使用者等により、低い側に変更されたときには、変更前に推定されていた目標温度に基づいて、湯水循環状態の制御が実行されることになるため、熱媒の吐出温度が、変更後の目標温度よりも高い状態に維持されることとなる。このような状況になった場合、熱源機における加熱は実行されなくなるから、コージェネレーションシステムの本体側は、加熱開始時期を受信できなくなり、新たな目標温度を推定できなくなる。
そこで、上記特徴構成にあっては、このような状況を推定し、熱源機における非加熱時間が、非加熱判定経過時間を越えている場合、熱源機における目標温度が低い側に変更されたと判定するのである。
本体側制御部は、当該判定に基づいて、湯水循環状態の制御を実行することになる。
【００２１】
本発明に係るコージェネレーションシステムの更なる特徴構成は、
前記湯水循環状態制御は、前記湯水循環路を循環する湯水に関し、前記排熱回収熱交換器を通流する湯水の流量、及び前記排熱回収熱交換器の入口の湯水の温度のうち、少なくとも何れか一方を制御する点にある。
【００２２】
上記特徴構成によれば、湯水循環状態制御は、湯水循環路を循環する湯水に関し、排熱回収熱交換器を通流する湯水の流量、及び排熱回収熱交換器の入口の湯水の温度のうち、少なくとも何れか一方を制御することにより、排熱回収熱交換器から湯水へ回収する排熱の熱量を調整することができる。
【００２３】
本発明に係るコージェネレーションシステムの更なる特徴構成は、
前記湯水循環状態制御は、前記湯水循環路を循環する湯水のうち、前記排熱回収熱交換器を通流する湯水の流量を制御するものであり、
前記本体側熱媒吐出部から吐出される熱媒の吐出温度が前記目標温度未満の場合、前記湯水循環状態制御において、前記排熱回収熱交換器を通流する湯水の流量を減少させ、
前記本体側熱媒吐出部から吐出される熱媒の吐出温度が前記目標温度を超える場合、前記湯水循環状態制御において、前記排熱回収熱交換器を通流する湯水の流量を増加させる点にある。
【００２４】
上記特徴構成によれば、本体側熱媒吐出部から吐出された熱媒の吐出温度が目標温度未満の場合、暖房負荷がその時点で熱媒に与えられている排熱量よりも大きいということなので、排熱回収熱交換器を通流する湯水の流量を減少させ、暖房負荷側への排熱の供給を増加させる。そして、暖房負荷が排熱よりも十分に大きいときは、結果的に、排熱回収熱交換器に湯水を通過させず、発生するすべての排熱を暖房負荷にて使用する。
一方、本体側熱媒吐出部から吐出された熱媒の吐出温度が目標温度を超える場合、暖房負荷がその時点で熱媒に与えられている排熱量よりも小さく、排熱が余っているということなので、余った熱を排熱回収熱交換器にて回収するべく、当該排熱回収熱交換器を通過する湯水の流量を増加させる。そして、回収した排熱は、貯湯タンクに貯留することができる。
尚、ここで、「その時点で熱媒に与えられている排熱量」とは、熱電併給部にて発生する排熱の全量のみでなく、一部を含むことを意味するものである。
【００２５】
本発明に係るコージェネレーションシステムの更なる特徴構成は、
前記湯水循環状態制御は、前記湯水循環路を循環する湯水のうち、前記排熱回収熱交換器の入口の湯水の温度を制御するものであり、
前記湯水循環路には、前記貯湯タンクの側へ導く湯水の流量と、前記貯湯タンクをバイパスする湯水バイパス路の側へ導く湯水の流量とを、調整可能な流量調整手段を備え、
前記本体側熱媒吐出部から吐出される熱媒の吐出温度が前記目標温度未満の場合、前記湯水循環状態制御において、前記流量調整手段により前記湯水バイパス路の側へ導かれる湯水の流量を増加させ、
前記本体側熱媒吐出部から吐出される熱媒の吐出温度が前記目標温度を超える場合、前記湯水循環状態制御において、前記流量調整手段により前記湯水バイパス路の側へ導かれる湯水の流量を減少させる点にある。
【００２６】
上記特徴構成によれば、本体側熱媒吐出部から吐出された熱媒の吐出温度が目標温度未満の場合、暖房負荷がその時点で熱媒に与えられている排熱量よりも大きいということなので、貯湯タンクをバイパスする湯水バイパス路の側へ導かれる湯水の流量を増加させ、排熱回収熱交換器の入口の湯水の温度を上昇させる。このとき、結果的に、貯湯タンクの側へ導かれる湯水の流量は減少する。
一方、本体側熱媒吐出部から吐出された熱媒の吐出温度が目標温度を超える場合、暖房負荷がその時点で熱媒に与えられている排熱量よりも小さく、排熱が余っているということなので、余った排熱を貯湯タンクへ蓄熱すべく、湯水バイパス路の側へ導かれる湯水の流量を減少させ、排熱回収熱交換器の入口の湯水の温度を低下させる。これにより、結果的に、貯湯タンクの側へ導かれる湯水の流量は増加し、余った排熱が貯湯タンクに蓄熱される。
【００２７】
本発明に係るコージェネレーションシステムの更なる特徴構成は、
前記冷却水循環路には、前記排熱回収熱交換器及び前記暖房用熱交換器をバイパスする冷却水バイパス路が備えられ、前記排熱回収熱交換器及び前記暖房用熱交換器を通過する冷却水の流量と、前記冷却水バイパス路を通過する冷却水の流量との流量比を制御する冷却水循環状態制御を実行する冷却水循環状態制御手段が設けられている点にある。
【００２８】
上記特徴構成によれば、例えば、暖房負荷がコージェネ本体にて発生する排熱よりも大きい場合、冷却水バイパス路を通流する冷却水の流量を増加させ、冷却水の温度の下がり過ぎを防止することができる。逆に、暖房負荷がコージェネ本体にて発生する排熱よりも小さい場合、排熱回収熱交換器及び暖房用熱交換器を通過する冷却水の流量を増加させ、冷却水の温度が上昇しすぎることを防止し、熱電併給部の過熱を防止できる。
【００２９】
本発明に係るコージェネレーションシステムの更なる特徴構成は、
前記冷却水循環路は、前記熱電併給部を通過した後の冷却水が、前記排熱回収熱交換器と前記暖房用熱交換器とを記載順に直列に通過するように配設されている点にある。
【００３０】
冷却水循環路を、熱電併給部を通過した後の冷却水が、排熱回収熱交換器と暖房用熱交換器とを並列に通過するように配設する場合、熱電併給部を停止しているときに、貯湯タンクの熱を取り出し、暖房に用いるのが困難となる。
また、冷却水循環路を、熱電併給部を通過した後の冷却水が、暖房用熱交換器と排熱回収熱交換器とを記載順に直列に通過するように配設する場合、熱電併給部を運転しているときに、冷却水の温度が、暖房用熱交換器で低下してしまうことを防止できず、貯湯タンクへの貯湯温度を目標温度（７５℃程度）まで上げられない。
上記特徴構成によれば、熱電併給部を停止しているときには、冷却水が排熱回収熱交換器にて貯湯タンクの熱を取り出すことができると共に、取り出した熱を暖房用熱交換器にて熱媒へ供給することができる。
また、熱電併給部を運転しているときには、熱電併給部を通過し高温となっている冷却水が、最初に排熱回収熱交換器を通過することになるから、当該排熱回収熱交換器を通過する湯水を適切に昇温でき、目標温度（７５℃程度）にまで昇温した湯水を貯湯タンクに貯湯することができる。
【図面の簡単な説明】
【００３１】
【図１】熱源機の概略構成図
【図２】コージェネレーションシステムの概略構成及び出湯運転の状態を示す図
【図３】コージェネレーションシステムの概略構成及び貯湯運転の状態を示す図
【図４】コージェネレーションシステムの概略構成及び排熱を蓄熱しない暖房運転の状態を示す図
【図５】コージェネレーションシステムの概略構成及び排熱の一部を蓄熱する暖房運転の状態を示す図
【図６】コージェネレーションシステムの概略構成及び蓄熱による暖房運転の状態を示す図
【図７】高温暖房運転に係る制御フロー図
【図８】低温暖房運転に係る制御フロー図
【図９】別実施形態を示す概略構成図
【発明を実施するための形態】
【００３２】
本発明に係るコージェネレーションシステムの実施形態について、図面に基づいて説明する。
尚、本実施形態に係るコージェネレーションシステム４０は、図１に示すように、熱源機１０に並設されるように構成されており、具体的には、熱源機１０に並設される一の筐体内に各種部位を配置した一体型に構成されている。
【００３３】
〔熱源機〕
先ず、本実施形態のコージェネレーションシステム４０に並設される熱源機１０の構成について、図１に基づいて説明する。
熱源機１０は、詳細については後述するが、一般的な給湯暖房器として構成され、上水道から熱源機側入水部２０ａを介して供給された湯水Ｗを、予め設定された設定給湯温度に加熱して給湯栓３０に供給する、所謂給湯運転を行うと共に、暖房放熱器３３へ加熱した熱媒を循環させる暖房用循環路３４を通流する熱媒を加熱する暖房運転を行うものであり、後述するコージェネレーションシステム４０に並設されるように構成されている。
外部インターフェースとしては、上水管路２０の一端側に設けられ外部から湯水Ｗを当該上水管路２０に取り込む熱源機側入水部２０ａ、同上水管路２０の他端側に設けられ当該上水管路２０の湯水Ｗを外部に吐出する熱源機側出水部２０ｂ、熱媒流路１６の一端側に設けられ外部から熱媒Ｈを当該熱媒流路１６に取り込む熱源機側熱媒受入部１６ａ、同熱媒流路１６の他端側に設けられ当該熱媒流路１６の熱媒Ｈを外部に吐出する熱源機側熱媒吐出部１６ｂ、及び、天然ガス系都市ガスである燃料ガスＧを取り込む燃料ガス供給部１４、などが設けられている。
熱源機側出水部２０ｂは、給湯栓３０に接続されることで、当該熱源機側出水部２０ｂから吐出された湯水Ｗが給湯栓３０に供給される。
また、熱源機側熱媒受入部１６ａ及び熱源機側熱媒吐出部１６ｂは、温水床暖房パネルなどの暖房放熱器３３との間に設けられた暖房用循環路３４を循環する熱媒Ｈを取り込み又は吐出する形態で、当該暖房用循環路３４に接続される。当該暖房用循環路３４は、熱源機側熱媒吐出部１６ｂから吐出された熱媒Ｈの全量のうち、所定流量が、往きヘッダ３１を介して暖房用循環路３４に設けられた暖房放熱器３３に供給され、一方、暖房放熱器３３を通過した熱媒Ｈが、戻りヘッダ３２を通過し、当該戻りヘッダ３２を通過した熱媒Ｈの全量をコージェネレーションシステム４０へ導く本体側熱媒流路１０４を通流して、熱源機側熱媒受入部１６ａに戻すように配設されている。
【００３４】
熱源機１０には、後述するバーナ１１ａ，１２ａの作動を制御したり、その他弁やポンプなどの各種補機の運転を制御したりするコンピュータからなる熱源機側制御部２５が設けられている。
熱源機側制御部２５は、住居内に設置されたリモコン２７との間で通信部２６を介して通信可能に構成されており、この構成により、リモコン２７から給湯時の設定給湯温度や暖房運転の運転及び停止を操作することができる。また、この通信部２６は、後述するコージェネレーションシステム４０側の通信部９６との間でも、無線又は有線での双方向の通信が可能に構成されている。
【００３５】
熱源機１０は、熱源機側入水部２０ａに取り込んで熱源機側出水部２０ｂから吐出される湯水Ｗを加熱するための給湯用加熱部１１と、熱源機側熱媒受入部１６ａに取り込んで熱源機側熱媒吐出部１６ｂから吐出される熱媒Ｈを加熱するための暖房用加熱部１２とを有する。
給湯用加熱部１１は、調整弁１１ｃを介して供給される燃料ガスＧをファン１３により供給される燃焼用空気により燃焼させるバーナ１１ａと、当該バーナ１１ａから排出される高温の燃焼ガスとの熱交換により上水管路２０を通流する湯水Ｗを加熱する給湯熱交換器１１ｂとを有して構成されている。
一方、暖房用加熱部１２は、調整弁１２ｃを介して供給される燃料ガスＧをファン１３により供給される燃焼用空気により燃焼させるバーナ１２ａと、当該バーナ１２ａから排出される高温の燃焼ガスとの熱交換により熱媒流路１６を通流する熱媒Ｈを加熱する暖房熱交換器１２ｂとを有して構成されている。
【００３６】
また、上水管路２０には、熱源機側入水部２０ａから取り込んだ湯水Ｗの温度（以下「熱源機側入水温度」と呼ぶ場合がある。）を検出する入水温度センサ２１と、熱源機側出水部２０ｂから吐出する湯水Ｗの温度（以下「熱源機側出水温度」と呼ぶ場合がある。）を検出する出水温度センサ２２と、湯水Ｗの通流を検出する水スイッチ２３とが配置されている。
一方、熱媒流路１６には、熱源機側熱媒受入部１６ａから取り込んだ熱媒Ｈの温度（以下「熱源機側入熱媒温度」と呼ぶ場合がある。）を検出する入熱媒温度センサ１７と、熱源機側熱媒吐出部１６ｂから吐出する熱媒Ｈの温度（以下「熱源機側出熱媒温度」と呼ぶ場合がある。）を検出する出熱媒温度センサ１８と、熱媒Ｈを送出する熱媒循環ポンプ１９とが配置されている。
【００３７】
このような構成により、熱源機側制御部２５は、熱源機側入水部２０ａから供給された湯水Ｗを予めリモコン２７で設定された設定給湯温度に加熱して給湯栓３０に供給する給湯運転や、暖房運転時において暖房放熱器３３との間に設けられた暖房用循環路３４を循環する熱媒Ｈを予め設定された目標温度に加熱する暖房運転を実行可能となる。以下に、給湯運転と暖房運転との詳細について説明を加える。
【００３８】
（給湯運転）
給湯運転は、上水管路２０に配置された水スイッチ２３により給湯栓３０の開栓による湯水Ｗの流通を検知している状態において、入水温度センサ２１で検出される熱源機側入水温度が設定給湯温度未満である場合に、バーナ１１ａで燃料ガスＧを燃焼させる燃焼運転を行う形態で実行される。また、この給湯運転では、出水温度センサ２２で検出される熱源機側出水温度が設定給湯温度になるように、バーナ１１ａでの燃焼量が、燃料ガスＧの供給量を調整する調整弁１１ｃの開度制御により調整される。
従って、給湯栓３０を開栓した場合には、適宜給湯運転が実行されて、その給湯栓３０には設定給湯温度の湯水Ｗが供給されることになる。
【００３９】
更に、上水管路２０には、給湯熱交換器１１ｂの上流側と下流側とを接続する形態でバイパス調整弁２４が設けられている。
給湯運転では、上述のように調整弁１１ｃの開度制御により、ガスの流量を制御しバーナ１１ａでの燃焼量を調整することに加えて、バイパス調整弁２４の開度制御して、バイパス流量を細かく制御することにより、給湯の出湯温度をより正確に設定温度に制御する。
【００４０】
（暖房運転）
暖房運転は、リモコン２７において暖房運転の開始ボタンが押操作されて熱媒流路１６に配置された熱媒循環ポンプ１９の作動が開始され、熱媒流路１６に熱媒Ｈが通流している状態で、入熱媒温度センサ１７で検出される熱源機側入熱媒温度が目標温度未満である場合に、バーナ１２ａで燃料ガスＧを燃焼させる燃焼運転を行う形態で実行される。尚、当該暖房運転では、出熱媒温度センサ１８で検出される熱源機側出熱媒温度が目標温度になるように、バーナ１２ａの燃焼状態が、燃料ガスＧの流量制御を実行可能であると共に、燃料ガスＧの供給・供給停止状態を切り替え可能な調整弁１２ｃの開度制御により、調整される。
また、詳細については、後述するが、暖房運転には、高温暖房運転と、低温暖房運転とがあり、低温暖房運転には、ホットダッシュ運転、通常低温暖房運転、床暖房低負荷運転があり、夫々の運転における目標温度は、異なる温度となっている。
【００４１】
〔コージェネレーションシステム〕
次に、本発明に係るコージェネレーションシステム４０の実施形態について、図２〜図６に基づいて説明する。
尚、図２〜図６は、コージェネレーションシステム４０の各種運転状態を示すものであるが、湯水Ｗ、冷却水Ｃ、又は熱媒Ｈの流体が通流している配管を太実線で表示し、当該流体が通流してない配管を細実線で表示している。
図２に示すように、コージェネレーションシステム４０は、上述した熱源機１０に並設される一の筐体内に各種部位を配置した一体型に構成されている。
尚、このコージェネレーションシステム４０は、外部インターフェースとして、上水道から湯水Ｗ（上水）を取り込む本体側入水部８０ａ、湯水Ｗを熱源機１０側へ吐出する本体側出水部７８ａ、貯湯タンク９０の排水を行う排水弁７５、熱源機１０側から暖房用の熱媒Ｈを取り込む本体側熱媒受入部５８ａ、熱源機１０側へ同熱媒Ｈを吐出する本体側熱媒吐出部５８ｂなどが設けられている。
更に、当該コージェネレーションシステム４０側に設けられた熱電併給部４１並びに弁やポンプなどの各種補機の運転を制御するコンピュータからなる本体側制御部９５が設けられている。この本体側制御部９５は、通信部９６を介して、熱源機１０側の通信部２６との間で無線又は有線での双方向通信を行ったり、外部に設けた表示部（図示省略）に運転状態などの所定の表示を行ったりするための通信を行うように構成されている。
具体的には、詳細については後述するが、熱源機１０の通信部２６からコージェネレーションシステム４０の通信部９６に対しては、熱源機１０側で設定された設定給湯温度や暖房運転の目標温度に関連する目標温度関連情報が出力され、逆に、コージェネレーションシステム４０の通信部９６から熱源機１０の通信部２６に対しては、熱源機１０による給湯運転を制限するための指令情報が出力される。
尚、上記指令情報の入力を受け付けた熱源機１０では、当該指令情報が給湯運転の実行を禁止するものである場合には、給湯栓３０へ湯水Ｗを供給する給湯時においても、給湯運転を実行することがないように構成されている。
【００４２】
コージェネレーションシステム４０は、燃料電池やエンジン駆動式発電機などのような電力と熱とを発生する熱電併給部４１を備え、発生した電力は適宜インバータ等を介して商用電源と連系する形態で外部の電力負荷等に供給される。また、熱電併給部４１が発生した熱は湯水Ｗの加熱に利用され、かかる加熱された湯水Ｗを貯留する貯湯タンク９０が設けられている。
【００４３】
熱電併給部４１は、内部に設けられた水冷ジャケット（図示省略）を通流する冷却水Ｃにより冷却される構造を有し、その冷却水Ｃが循環する冷却水循環路４２が設けられている。
冷却水循環路４２には、冷却水Ｃの循環方向に沿って、冷却水Ｃを送り出す冷却水ポンプ４６、冷却水Ｃの通流を断続可能な電磁弁４７、熱電併給部４１における冷却水ジャケット（図示省略）、当該冷却水ジャケットから吐出された冷却水Ｃの温度（以下「高温側冷却水温度」と呼ぶ場合がある。）を検出する高温側冷却水温度センサ５０、排熱回収熱交換器５５、暖房用熱交換器５６、第１バイパス路４３を通じて流入する冷却水Ｃの流量を調整する三方調整弁４５、及び、冷却水Ｃを一時的に貯えるバッファタンク５１が、記載の順で配置されている。
バッファタンク５１には、一時的に貯留される冷却水Ｃの温度（以下「低温側冷却水温度」と呼ぶ場合がある。）を検出する低温側冷却水温度センサ４９が設けられている。また、本体側入水部８０ａに供給された湯水Ｗが、電磁弁５２を介して適宜冷却水Ｃとしてバッファタンク５１に補充される。
【００４４】
更に、冷却水循環路４２には、排熱回収熱交換器５５の上流側と暖房用熱交換器５６との下流側に配置された三方調整弁４５とを接続する第１バイパス路４３と、電磁弁４７の上流側と熱電併給部４１の下流側とを接続する第２バイパス路４４（冷却水バイパス路の一例）とが架設されている。また、この第２バイパス路４４には、冷却水Ｃの通流を断続可能な電磁弁４８が配置されている。
即ち、冷却水循環路４２に冷却水Ｃを循環させている状態において、三方調整弁４５を調整することで、排熱回収熱交換器５５及び暖房用熱交換器５６をバイパスして第１バイパス路４３を通流する冷却水Ｃの流量が調整される。
また、冷却水循環路４２に冷却水Ｃが循環している状態において、熱電併給部４１の上流側に配置された電磁弁４７を閉弁させると共に第２バイパス路４４に配置された電磁弁４８を開弁させることで、冷却水Ｃの全量を、熱電併給部４１をバイパスさせて第２バイパス路４４に通流させることができる。
【００４５】
排熱回収熱交換器５５は、冷却水循環路４２を通流する冷却水Ｃと加熱貯湯循環路６０を通流する湯水Ｗとの間で熱交換を行うように構成されている。一方、暖房用熱交換器５６は、冷却水循環路４２を通流する冷却水Ｃと熱媒流路５８を通流する熱媒Ｈとの間で熱交換を行うように構成されている。
即ち、熱電併給部４１において熱を発生している状態で、冷却水ポンプ４６を作動させて、冷却水循環路４２に冷却水Ｃを循環させると、熱電併給部４１を通過して加熱された冷却水Ｃが、排熱回収熱交換器５５及び暖房用熱交換器５６を通過することで湯水Ｗ及び熱媒Ｈとの間で熱交換を行い、再び熱電併給部４１に供給されることになる。
【００４６】
熱電併給部４１で加熱された冷却水Ｃの温度、即ち高温側冷却水温度センサ５０で検出される高温側冷却水温度が、所定の温度（例えば７５℃〜８０℃程度）となるように、冷却水ポンプ４６の出力や三方調整弁４５の開度が制御される。
具体的には、冷却水ポンプ４６の出力を低下させる、又は、三方調整弁４５の第１バイパス路４３側の開度を増加させることで、排熱回収熱交換器５５及び暖房用熱交換器５６を通流する冷却水Ｃの流量を減少させると、冷却水Ｃの当該熱交換器５５、５６での放熱量が減少することから、高温側冷却水温度が上昇する。そして、この原理を利用して、冷却水Ｃの温度が所定の温度に調整される。
尚、排熱回収熱交換器５５及び暖房用熱交換器５６で冷却された冷却水Ｃの温度、即ち低温側冷却水温度センサ４９で検出される低温側冷却水温度が、所定の温度になるように、冷却水ポンプ４６の出力や三方調整弁４５の開度を制御するように構成しても構わない。
【００４７】
貯湯タンク９０は、下部９０ｂに湯水Ｗが供給され上部９０ａから本体側出水部７８ａに湯水Ｗが取り出される密閉式タンクとして構成されている。また、貯湯タンク９０の下部９０ｂから取り出した湯水Ｗを、熱電併給部４１が発生した熱で加熱するべく排熱回収熱交換器５５に通流させて、貯湯タンク９０の上部９０ａに戻す形態で、湯水Ｗを循環させる加熱貯湯循環路６０が設けられている。
この加熱貯湯循環路６０は、貯湯タンク９０の下部９０ｂに対しては、当該下部９０ｂに接続された底部管路７２に対して三方弁７３を介して接続されており、一方、貯湯タンク９０の上部９０ａに対しては、当該上部９０ａに接続された上部管路６６に対して比例弁６５を介して接続されている。
また、上部管路６６には、湯水バイパス路６７が接続されており、また、この湯水バイパス路６７の他方側端部は、逆止弁６９を介して加熱貯湯循環路６０に配置された三方調整弁６８に接続されている。
【００４８】
この加熱貯湯循環路６０には、湯水Ｗの流通方向に沿って、湯水バイパス路６７を通じて流入する湯水Ｗの流量を調整する三方調整弁６８、湯水Ｗを送り出す循環ポンプ６１、排熱回収熱交換器５５、当該排熱回収熱交換器５５を通過した後の湯水Ｗの温度（以下「高温側湯水温度」と呼ぶ場合がある。）を検出する循環水高温センサ６３、同湯水Ｗの流量を検出する循環流量センサ６２、貯湯タンク９０の上部９０ａに流入する湯水Ｗの温度（以下「貯湯温度」と呼ぶ場合がある。）を検出する貯湯温度センサ６４、比例弁６５、及び、貯湯タンク９０が、記載の順で配置されている。
尚、加熱貯湯循環路６０には、後述する蓄熱による暖房運転の際に、貯湯タンク９０の上部から取り出され、排熱回収熱交換器５５にて冷却水Ｃに熱を与えた後の湯水Ｗを貯湯タンク９０の下部に戻す蓄熱暖房用湯水通流路７０が併設されており、当該蓄熱暖房用湯水通流路７０には、湯水の流量を調整可能な比例弁７１が設けられている。
【００４９】
また、貯湯タンク９０の上部９０ａに接続された上部管路６６は、三方調整弁７７及び出湯管路７８を介して本体側出水部７８ａに接続されており、その三方調整弁７７の上流側には、貯湯タンク９０の上部９０ａから上部管路６６に取り出された湯水Ｗの温度（以下「タンク取出湯水温度」と呼ぶ場合がある。）を検出する取出水温度センサ７６が設けられている。尚、このタンク取出湯水温度の検出は、取出水温度センサ７６の代わりに、貯湯タンク９０の上下方向に分散配置した複数の温度センサ９１のうち最上部に設けられた温度センサ９１ａで行っても構わない。
また、この三方調整弁７７には、本体側入水部８０ａに通じる給水管路８２が接続されている。更に、出湯管路７８と給水管路８２とは、バイパス管路８６により接続されており、このバイパス管路８６には、湯水Ｗの通流を断続可能な電磁弁８７が配置されている。
即ち、上記三方調整弁７７は、貯湯タンク９０の上部９０ａから本体側出水部７８ａに供給される湯水Ｗに対し、混合比調整を伴って、給水管路８２から供給される湯水Ｗを混合可能な混合部として機能する。
尚、出湯管路７８のバイパス管路８６との接続部の下流側には、湯水Ｗの通流方向に沿って、湯水Ｗの流量を検出する流量センサ７９、本体側出水部７８ａから吐出される湯水Ｗの温度（以下「本体側出水温度」と呼ぶ場合がある。）を検出する出水温度センサ８１が、記載の順に配置されている。
一方、給水管路８２のバイパス管路８６との接続部の上流側には、湯水Ｗの通流方向に沿って、湯水Ｗの圧力を調整する減圧弁８４、本体側入水部８０ａに供給された湯水Ｗの温度（以下「本体側入水温度」と呼ぶ場合がある。）を検出する温度センサ８５、湯水Ｗの逆流を阻止する逆止弁８３が、記載の順に配置されている。
【００５０】
また、給水管路８２は、貯湯タンク９０の下部９０ｂに接続された底部管路７２の三方弁７３に対して逆止弁８９を介して接続されており、この構成により、貯湯タンク９０では、上部９０ａから湯水Ｗが取り出されると同時に、下部９０ｂから湯水Ｗが、給水管路８２、三方弁７３、及び底部管路７２を介して供給されることになる。
これまで説明してきたように、加熱貯湯循環路６０、湯水バイパス路６７、蓄熱暖房用湯水通流路７０が、湯水循環路として働く。
【００５１】
暖房用熱交換器５６が配置された熱媒流路５８の一方側端部に設けられた本体側熱媒受入部５８ａは、戻りヘッダ３２に接続され、一方、同熱媒流路５８の他方側端部に設けられた本体側熱媒吐出部５８ｂは、熱源機１０の熱源機側熱媒受入部１６ａに接続される。
即ち、暖房用循環路３４において暖房放熱器３３を通過した後の熱媒Ｈは、戻りヘッダ３２及び本体側熱媒受入部５８ａを介して、熱媒流路５８に配置された暖房用熱交換器５６に供給され、更に、この暖房用熱交換器５６を通過した後の熱媒Ｈは、本体側熱媒吐出部５８ｂ及び熱源機側熱媒受入部１６ａを介して、熱源機１０の熱媒流路１６（図１参照）に配置された暖房熱交換器１２ｂ（図１参照）に供給され、更に、この暖房熱交換器１２ｂを通過した後の熱媒Ｈは、熱源機側熱媒吐出部１６ｂ及び往きヘッダ３１を介して、暖房用循環路３４に配置された暖房放熱器３３に供給されることになる。
【００５２】
尚、暖房用熱交換器５６が設けられている熱媒流路５８には、暖房用熱交換器５６の入口での熱媒Ｈの温度を測定する本体側入熱媒温度センサ１０２ａが設けられると共に、暖房用熱交換器５６の出口での熱媒Ｈの温度を測定する本体側出熱媒温度センサ１０２ｂが設けられている。そして、本体側制御部９５は、暖房用熱交換器５６への熱媒Ｈの入り温度と、暖房用熱交換器５６からの熱媒Ｈの出温度とを監視するように構成されている。
【００５３】
また、本体側制御部９５は、詳細については後述するが所定の運転指令制御及び混合制御を実行するように構成されている。
この運転指令制御では、貯湯タンク９０の上部９０ａから上部管路６６に取り出された湯水Ｗの温度、即ち取出水温度センサ７６で検出されるタンク取出湯水温度に基づいて、本体側出水温度が目標出水温度よりも低いものとなるかの判断を行い、その判断結果に基づいて、熱源機１０の給湯運転の可否を決定し、当該決定した給湯運転の可否に従って熱源機１０による給湯運転を制限するための指令情報を、通信部９６を介して熱源機１０に出力する。
一方、混合制御では、通信部９６を介して熱源機１０又はリモコン２７から入力を受け付けた設定給湯温度に基づいて、本体側出水温度の目標値である目標出水温度を決定し、当該決定した目標出水温度に基づいて混合部としての三方調整弁７７を制御する。
尚、上記熱源機１０又はリモコン２７から入力を受け付けた設定給湯温度は、以下では、熱源機１０側から入力を受け付けた設定給湯温度とする。
【００５４】
以上のような構成により、コージェネレーションシステム４０は、以下に示す、給湯運転、貯湯運転、暖房運転を実行することができる。ここで、暖房運転には、熱源機側出熱媒温度の目標温度が高温である高温暖房運転と、当該目標温度が低温である低温暖房運転とがある。
そして、高温暖房運転と低温暖房運転は、排熱回収熱交換器５５では排熱を湯水Ｗへ回収せずに排熱のすべてを暖房用熱交換器５６にて放熱することにより、排熱を蓄熱しない暖房運転（図４に示す状態の運転）と、排熱の一部を排熱回収熱交換器５５で湯水Ｗへ回収し貯湯タンク９０に蓄熱すると共に、他部を暖房用熱交換器５６にて放熱することにより、排熱の一部を蓄熱する暖房運転（図５に示す状態の運転）とを切り替えて実行されることになる。
更に、本願のコージェネレーションシステム４０にあっては、図６に示すように、貯湯タンク９０に蓄熱された熱のみにより暖房運転（高温及び低温）を行う、蓄熱による暖房運転を実行可能に構成されている。
そこで、以下では、給湯運転及び貯湯運転につき説明した後、排熱を蓄熱しない暖房運転、排熱の一部を蓄熱する暖房運転について説明し、その後、高温暖房運転、低温暖房運転、蓄熱による暖房運転について、説明する。
【００５５】
（給湯運転）
図２に示すように、給湯運転は、給湯栓３０が開栓されることで熱源機１０の熱源機側出水部２０ｂから給湯栓３０へ湯水Ｗが供給され、それに伴って本体側出水部７８ａから熱源機側入水部２０ａへ湯水Ｗが供給され、それに伴って出湯管路７８に配置された流量センサ７９で湯水Ｗの通流が検知された状態で実行される。
かかる給湯運転では、貯湯タンク９０の上層の比較的高温の湯水Ｗが、上部９０ａから上部管路６６に取り出されて、三方調整弁７７を介して出湯管路７８に供給される。
更に、この給湯運転では、一旦、目標出水温度を、熱源機１０側から入力を受け付けた設定給湯温度と等しい温度又は同設定給湯温度よりも放熱分を考慮した若干高めの温度に決定した状態で、混合制御が実行されて、三方調整弁７７の開度が制御される。
すなわち、この混合制御では、取出水温度センサ７６で検出されるタンク取出湯水温度が目標出水温度以上である場合には、三方調整弁７７において適当な湯水Ｗが混合されることで、目標出水温度の湯水Ｗが得られ、その湯水Ｗが熱源機１０の熱源機側入水部２０ａに供給されることになる。
また、本体側制御部９５による運転指令制御では、熱源機１０における給湯運転の実行の禁止を決定し、当該給湯運転の実行を禁止するための指令情報を、通信部９６、２６を介して熱源機側制御部２５に出力する。
すると、熱源機１０においては、熱源機側入水温度が設定給湯温度以上であれば、その湯水Ｗを再加熱する必要がないために、給湯運転が行われることなく、この設定給湯温度の湯水Ｗがそのまま給湯栓３０に供給されることになる。また、熱源機側入水温度が設定給湯温度を若干下回っていたとしても、入力された指令情報により無用な給湯運転の実行が禁止されることになる。よって、熱源機１０の熱効率が向上されながら、貯湯タンク９０に貯留されている湯水Ｗが有効利用されてシステム全体のエネルギー効率が向上されることになる。
【００５６】
一方、取出水温度センサ７６で検出されるタンク取出湯水温度が目標出水温度未満である場合には、目標出水温度を設定給湯温度よりも十分に低い温度（例えば３０℃）に設定して、三方調整弁７７を介して供給される湯水Ｗの量を増加させ、本体側出水部７８ａから低く設定された目標出湯温度以下の湯水Ｗを吐出するようにする。
【００５７】
（貯湯運転）
図３に示すように、熱電併給部４１が発生した熱で加熱された湯水Ｗを貯留する所謂貯湯運転は、熱電併給部４１が作動して熱を発生しながら、冷却水ポンプ４６及び循環ポンプ６１が作動することにより、排熱回収熱交換器５５において、比較的高温（例えば７５℃〜８０℃程度）に維持された冷却水Ｃと貯湯タンク９０の下部９０ｂから取り出した比較的低温の湯水Ｗとの熱交換が行われて、当該湯水Ｗが加熱され、一方、当該冷却水Ｃが冷却される形態で実行される。
そして、このように加熱された湯水Ｗが、比例弁６５及び上部管路６６を介して貯湯タンク９０の上部９０ａに流入することになり、結果、貯湯タンク９０には、上部に高温の湯水Ｗが存在し下部に低温の湯水Ｗが存在する状態の温度成層を形成する状態で湯水Ｗが貯留されることになる。
また、貯湯タンク９０において温度成層を形成する形態で湯水Ｗを貯留するので、貯湯タンク９０の上下方向に分散配置した複数の温度センサ９１の検出結果により、貯湯タンク９０の上層に貯留されている高温の湯水Ｗの量、即ち貯湯量を判定することができる。
【００５８】
更に、この貯湯運転では、この排熱回収熱交換器５５で加熱された湯水Ｗの温度、循環水高温センサ６３で検出される高温側湯水温度が、所定の温度（例えば７５℃程度）となるように、三方調整弁６８の開度が制御される。
具体的には、三方調整弁６８の湯水バイパス路６７側の開度を増加させることで、排熱回収熱交換器５５で加熱された湯水Ｗのうち、貯湯タンク９０に供給されるのではなく湯水バイパス路６７を介して排熱回収熱交換器５５の上流側に再循環される湯水Ｗの割合が増加すると、高温側湯水温度が上昇する。そして、この原理を利用して、高温側湯水温度が所定の温度に調整される。
【００５９】
（排熱を蓄熱しない暖房運転）
図４に示すように、熱電併給部４１が発生した熱で暖房放熱器３３との間に設けられた暖房用循環路３４を循環する熱媒Ｈを加熱する運転である、排熱を蓄熱しない暖房運転は、熱電併給部４１が作動して熱を発生しながら、熱源機１０側から暖房運転開始の情報の入力を受け付けて、冷却水ポンプ４６が作動することにより、暖房用熱交換器５６において、比較的高温（例えば７５℃〜８０℃程度）に維持された冷却水Ｃと循環する熱媒Ｈとの熱交換が行われて、当該熱媒Ｈが加熱され、一方当該冷却水Ｃが冷却される形態で実行される。
【００６０】
このような排熱を蓄熱しない暖房運転では、暖房用循環路３４において暖房放熱器３３を通過した後の熱媒Ｈが、先ず、戻りヘッダ３２及び本体側熱媒受入部５８ａを介して、熱媒流路５８に配置された暖房用熱交換器５６に供給され、この暖房用熱交換器５６における冷却水Ｃとの熱交換によって加熱される。
更に、この暖房用熱交換器５６を通過して加熱された熱媒Ｈは、本体側熱媒吐出部５８ｂ及び熱源機側熱媒受入部１６ａを介して、熱源機１０の熱媒流路１６（図１参照）に配置された暖房熱交換器１２ｂ（図１参照）に供給される。ここで、熱源機１０においては、上述した暖房運転が適宜実行され熱媒Ｈが目標温度に加熱される。そして、この目標温度の熱媒Ｈが、熱源機側熱媒吐出部１６ｂ及び往きヘッダ３１を介して、暖房用循環路３４に配置された暖房放熱器３３に再度供給されることになる。
即ち、暖房放熱器３３で放熱される熱の少なくとも一部が、熱電併給部４１が発生した熱で補われることになり、システム全体のエネルギー効率が一層向上される。
【００６１】
（排熱の一部を蓄熱する暖房運転）
排熱の一部を蓄熱する暖房運転は、図５に示すように、熱電併給部４１にて発生した熱の一部を、冷却水循環路４２に配設された排熱回収熱交換器５５にて湯水Ｗに回収し貯湯タンク９０に蓄熱すると共に、他部を冷却水循環路４２に配設された暖房用熱交換器５６にて熱媒Ｈに供給するものである。
当該排熱の一部を蓄熱する暖房運転は、熱電併給部４１を作動させて熱を発生しながら、本体側制御部９５が、熱源機側制御部２５から暖房運転開始の情報を受け付けて、冷却水ポンプ４６、循環ポンプ６１を作動させると共に、加熱貯湯循環路６０で貯湯タンク９０の上部９０ａの上流に設けられる比例弁６５の開度を調整する。これにより、排熱回収熱交換器５５にて排熱の一部を冷却水Ｃから湯水Ｗに回収して貯湯タンク９０に蓄熱すると共に、残りの排熱を暖房用熱交換器５６にて冷却水Ｃから熱媒Ｈに回収する。
排熱の一部を蓄熱する暖房運転では、暖房用循環路３４にて暖房放熱器３３を通過した後の熱媒Ｈの循環状態は、上述した排熱を蓄熱しない暖房運転と同様であるので、ここではその詳細な説明を割愛する。
排熱の一部を蓄熱する暖房運転を実行することにより、熱電併給部４１にて発生した熱のうち、暖房に必要な分を、暖房用熱交換器５６から熱媒Ｈに供給すると共に、余った分は、貯湯タンク９０に蓄熱することにより、省エネルギー性を向上できる。
【００６２】
尚、本願にあっては、エネルギー効率の一層の向上を図るべく、上述した熱源機１０での目標温度に関連する目標温度関連情報を、本体側制御部９５にて受信し、当該目標温度関連情報に基づいて、排熱を蓄熱する暖房運転、排熱を蓄熱しない暖房運転において、湯水Ｗの循環状態、及び熱媒Ｈの循環状態を制御することにより、後述する熱源機１０側にて設定される熱媒Ｈの目標温度が高温である高温暖房運転、同目標温度が低温である低温暖房運転を実行するように構成されている。
説明を追加すると、本体側制御部９５は、通信部９６を介して、目標温度関連情報として、暖房運転が低温暖房運転と高温暖房運転との何れかであるという情報を受信するように構成されている。以下、高温暖房運転及び低温暖房運転につき、詳細に説明する。
【００６３】
（高温暖房運転）
高温暖房運転は、浴室暖房乾燥機等の比較的高温を必要とする暖房放熱器３３を働かせる場合に実行される暖房運転である。
当該高温暖房運転は、本体側制御部９５が、通信部９６を介して、熱源機１０から高温暖房運転の実行に係る情報を受信し、それに基づいて、湯水Ｗの循環状態、熱媒Ｈの循環状態、及び冷却水Ｃの循環状態を制御する。以下、当該高温暖房運転に関する制御の流れを、図４、図５のコージェネレーションシステムの概略構成図を参照しつつ、図７の制御フローに基づいて説明する。
【００６４】
コージェネレーションシステム４０は、熱電併給部４１の運転が維持されている状況とする。
本体側制御部９５は、通信部９６を介して、熱源機１０側から、高温暖房運転の実行に係る情報を受信する（♯０１）。
【００６５】
本体側制御部９５は、高温暖房運転の実行に係る情報を受信すると、高温暖房運転に対する熱媒Ｈの目標温度を、予め、高温暖房運転に対する温度として記憶されている高温側目標温度（７５℃程度）に設定する（♯０２）。
【００６６】
本体側制御部９５は、三方調整弁６８（流量調整手段の一例）の開度を調整して、貯湯タンク９０の側に導かれる湯水の流量と、貯湯タンク９０をバイパスする湯水バイパス路６７の側に導かれる湯水の流量との流量比を調整することで、加熱貯湯循環路６０を循環する湯水の排熱回収熱交換器５５の出温度を、目標貯湯温度（７５℃〜７７℃）に維持するように、湯水循環状態を制御する（♯０３）。
具体的には、排熱回収熱交換器５５の出温度が、目標貯湯温度を超える場合、貯湯タンク９０の側に導かれる湯水の流量を増加させ、排熱回収熱交換器５５の出温度が、目標貯湯温度未満の場合、貯湯タンク９０の側に導かれる湯水の流量を減少させる。
尚、当該制御においては、排熱回収熱交換器５５を通流する湯水の流量、即ち、貯湯タンク９０の側に導かれる湯水の流量と、湯水バイパス路６７の側に導かれる湯水の流量とを合わせた流量は、以下の♯０５〜♯０９に示す制御により決定される。
【００６７】
本体側制御部９５が、冷却水循環路４２を通流する冷却水Ｃの循環流量を一定に維持すべく、冷却水ポンプ４６の回転速度を一定に維持し、冷却水循環路４２に配置される排熱回収熱交換器５５への冷却水Ｃの入り温度を、７５℃〜８０℃に維持する（♯０４）。
尚、当該高温暖房運転を実行する場合、排熱回収熱交換器５５への冷却水Ｃの入温度が低下しすぎて、湯水Ｗの貯湯（７５℃）に必要な冷却水温度下限値（７５〜８０℃）を維持できなくなる虞がある。
そこで、本体側制御部９５は、熱電併給部４１に導かれる冷却水Ｃの温度（暖房用熱交換器５６からの冷却水Ｃの出温度）が、冷却水温度下限値未満である場合、冷却水Ｃの温度が下がりすぎていると判定し、冷却水Ｃが排熱回収熱交換器５５及び暖房用熱交換器５６を通過して降温することを防止すべく、第１バイパス路４３を通流する冷却水Ｃの流量を増加させ、排熱回収熱交換器５５及び暖房用熱交換器５６を通過する冷却水Ｃの流量を減少させる。
一方、本体側制御部９５は、暖房用熱交換器５６からの冷却水Ｃの出温度が、冷却水温度下限値を超える場合、排熱回収熱交換器５５及び暖房用熱交換器５６を通過する冷却水Ｃの流量を増加させる。
【００６８】
本体側制御部９５は、暖房用熱交換器５６からの熱媒Ｈの出温度である本体側出熱媒温度が、高温側目標温度（７５℃程度）を超える場合（♯０５）、暖房負荷がその時点で熱媒Ｈが回収する回収熱量よりも小さいということなので、熱媒Ｈにおける回収熱量を減少させるべく、排熱回収熱交換器５５を通過する湯水Ｗの流量を増加させ、当該湯水Ｗを貯湯タンク９０へ貯留する（♯０６）。
これにより、冷却水循環路４２を通流する冷却水Ｃの温度は、排熱回収熱交換器５５の通過により低下し、当該低下した冷却水Ｃが、暖房用熱交換器５６に導かれることになるから、当該暖房用熱交換器５６にて熱媒Ｈが回収する熱量を減少させることができる。
【００６９】
一方、本体側制御部９５は、暖房用熱交換器５６からの熱媒Ｈの出温度である本体側出熱媒温度が、高温側目標温度（７５℃程度）未満である場合（♯０５）、暖房負荷がその時点で熱媒Ｈが回収する回収熱量よりも大きいと判定し、熱媒Ｈの回収熱量を増加させるべく、排熱回収熱交換器５５を通過する湯水Ｗの流量を減少させる（♯０７）。
【００７０】
上記（♯０７）の制御により、暖房負荷が十分に大きい場合、即ち、排熱回収熱交換器５５を通過する湯水の流量が下限値以下（又はゼロ）の場合（♯０８）、本体側制御部９５は、湯水の循環ポンプ６１を停止すると共に、三方調整弁６８の開度制御を停止し湯水の温度制御を停止する（♯０９）。
【００７１】
（低温暖房運転）
低温暖房運転が実行される場合にも、本体側制御部９５は、通信部９６を介して、熱源機１０側から、低温暖房運転の実行に係る情報を受信する。
当該低温暖房運転には、ホットダッシュ運転、通常低温暖房運転、低温床暖房運転の複数の種類があり、夫々に対応する低温側目標温度は、７２℃、６０℃、４０℃程度となっている。そして、熱源機１０においては、熱源機側制御部２５が、当該低温側目標温度を記憶しており、熱媒Ｈの熱源機側出熱媒温度が、当該記憶された目標温度となるように、そのバーナ１２ａでの加熱状態を制御している。
コージェネレーションシステム４０の本体側では、当該低温目標温度を受信し、当該低温目標温度に基づいて、暖房運転の際の湯水Ｗの循環状態や、熱媒Ｈの循環状態を制御することが好ましい。
しかしながら、熱源機側制御部２５が記憶する上記低温目標温度は、設計上の理由により、外部に出力することができない構成となっている場合がある。
一方、熱源機１０には、熱媒Ｈの熱源機側出熱媒温度を測定する出熱媒温度センサ１８が設けられているため、当該出熱媒温度センサ１８に測定された熱媒Ｈの温度は、外部に出力することができる。
また、熱源機１０において、暖房熱交換器１２ｂを通過する熱媒を加熱するバーナ１２ａは、熱媒Ｈの温度を目標温度に維持すべく、熱媒Ｈの温度が低温側目標温度よりも所定温度だけ低い場合に燃焼し、熱媒Ｈの温度が低温側目標温度よりも所定温度だけ高い場合に燃焼を停止するように構成されており、熱源機１０は、当該バーナ１２ａにて燃焼が開始される時期である加熱開始時期、及び燃焼が停止される時期である加熱停止時期についても、外部へ出力することができる。
そこで、本願にあっては、本体側制御部９５は、通信部９６を介して、出熱媒温度センサ１８の出力である熱源機側出熱媒温度（熱媒Ｈの吐出温度の一例）と、加熱開始時期、加熱停止時期を受信すると共に、加熱開始時期の熱源機側出熱媒温度と、加熱停止時期の熱源機側出熱媒温度との中間値を、低温側目標温度と推定する。
【００７２】
以下、当該低温側目標温度の推定を含む、低温側暖房運転の制御フローを、図４、５のコージェネレーションシステムの概略構成を参照しつつ、図８の制御フローに基づいて、説明する。
【００７３】
本体側制御部９５は、通信部９６を介して、熱源機１０側から、低温側暖房運転の実行に係る情報を受信する（♯０１）。
本体側制御部９５は、低温暖房運転の実行に係る情報を受信すると、低温側暖房運転の目標温度である低温側暖房目標温度を推定すべく、通信部９６を介して、熱源機１０側から、バーナ１２ａの加熱開始時期の熱源機側出熱媒温度と、加熱停止時期の熱源機側出熱媒温度とを受信する（♯０２）。
【００７４】
本体側制御部９５は、加熱開始時期の熱源機側出熱媒温度と、加熱停止時期の熱源機側出熱媒温度との中間値を、低温側目標温度であると推定する（♯０３）。
以下、♯０４〜♯１０の制御は、高温側目標温度が低温側目標温度となっている以外は、上述した高温暖房運転の♯０３〜♯０９の制御と同一であるので、ここでは、その詳細な説明を割愛する。
【００７５】
（蓄熱による暖房運転）
蓄熱による暖房運転は、図６に示すように、熱電併給部４１が停止している場合に、貯湯タンク９０に蓄熱された熱を、熱媒Ｈへ供給し、暖房運転の熱を補う運転である。
【００７６】
蓄熱による暖房運転では、貯湯タンク９０の温度成層をなるべく維持すべく、湯水Ｗの循環流量をなるべく小さく抑制し、貯湯タンク９０の下部９０ｂから流入する湯水の流量を抑制すると共に、排熱回収熱交換器５５からの湯水Ｗの出温度をなるべく小さく抑制し、貯湯タンク９０の下部９０ｂから流入する湯水が昇温しすぎることを抑制する。
当該目的を達成するためには、冷却水循環路４２を通流する冷却水Ｃで、排熱回収熱交換器５５への冷却水Ｃの入り温度をなるべく低く抑制する必要がある。
【００７７】
そこで、本体側制御部９５は、まず、暖房用熱交換器５６において、当該暖房用熱交換器５６からの冷却水Ｃの出温度と、暖房用熱交換器５６への熱媒Ｈの入り温度との差を、所定の最適値以内に抑えるように、冷却水Ｃの流量をなるべく小さくするように制御する。
本体側制御部９５は、当該制御を実行している状態で、排熱回収熱交換器５５を通過する湯水の流量を制御することで、暖房用熱交換器５６にて、冷却水Ｃから熱媒Ｈへ受け渡す熱量を調整する。
尚、当該蓄熱による暖房運転にあっては、熱電併給部４１が停止しているのであるが、熱電併給部４１が停止している状態で、当該熱電併給部４１に冷却水Ｃが通流すると、冷却水Ｃが保持する熱が、熱電併給部４１から放熱されるため、好ましくない。
そこで、本願にあっては、冷却水循環路４２に、熱電併給部４１をバイパスする第２バイパス路４４を備えると共に、冷却水Ｃの全量を当該第２バイパス路４４の側と熱電併給部４１の側との何れか一方に切り替え可能な流量調整弁４７、４８（切替手段の一例）を設け、蓄熱による暖房運転にあっては、冷却水Ｃの全量を当該第２バイパス路４４を通流させている。
【００７８】
〔別実施形態〕
最後に、本発明のその他の実施形態について説明する。尚、以下に説明する各実施形態の構成は、それぞれ単独で適用されるものに限られず、矛盾が生じない限り、他の実施形態の構成と組み合わせて適用することも可能である。（１）以下、図１と図９とを比較して説明する。上記実施形態においては、熱媒Ｈを循環する暖房用循環路３４を構成する本体側熱媒流路１０４は、戻りヘッダ３２に戻された熱媒Ｈの全量を、本体側の暖房用熱交換器５６へ導いた後、直接、熱源機側熱媒受入部１６ａへ導くように構成した。
しかしながら、当該本体側熱媒流路１０４は、戻りヘッダ３２に戻された熱媒Ｈの一部を、本体側の暖房用熱交換器５６へ導いた後、一端、戻りヘッダ３２に戻すように構成しても構わない。この場合、本体側熱媒流路１０４には、当該流路を通流する熱媒Ｈの流量を制御するための熱媒循環ポンプ１０３を設けることとなる。
尚、当該構成においても、本体側制御部９５が、上記熱媒循環ポンプ１０３の回転速度を制御することにより、本体側熱媒流路１０４を通流する熱媒Ｈの流量を、戻りヘッダ３２に戻される熱媒Ｈの全量と同一（又は、それ以上）にすることができる。
これにより、本体側制御部９５により実行される制御については、上記実施形態にて示したものと同様の制御を実行することができる。
尚、当該実施形態においては、本体側制御部９５は、熱を回収した後の熱媒Ｈの温度を制御するべく、本体側熱媒流路１０４を通流する熱媒Ｈの流量を制御するように構成しても構わない。
【００７９】
（２）上記実施形態では、熱源機１０を、給湯運転と暖房運転との両方を実行可能なように、暖房機と給湯器とを組み合わせたものとして構成したが、別に当該熱源機１０を暖房専用機として構成しても構わない。
【００８０】
（３）上記実施形態では、本体側出水温度を目標出水温度に調整するために、混合部として機能する三方調整弁７７を備え、混合制御を行って、貯湯タンク９０の上部９０ａから取り出した湯水Ｗに低温の湯水Ｗを混合比調整を伴って混合するように構成したが、例えば、貯湯タンク９０の上層に目標出水温度の湯水Ｗを貯留するように構成して、かかる混合部等の構成を省略しても構わない。
【００８１】
（４）上記実施形態では、貯湯タンク９０を、温度成層を形成する形態で加熱された湯水Ｗを貯留するように構成された密閉式タンクとしたが、開放式タンクとしたり、更には、加熱された湯水Ｗのみを貯留するように構成しても構わない。
【００８２】
（５）上記実施形態では、熱源機１０に並設される熱電併給部４１や貯湯タンク９０やその他各種部位について、一の筐体内に配置して一体型に構成したが、別に、複数の筐体の夫々に分配して複数のユニットからなるものといて構わない。
【００８３】
（６）上記実施形態の低温暖房運転時に、低温暖房運転の種類（ホットダッシュ運転、通常低温暖房運転、低温床暖房運転等）が、変更された場合、低温側目標温度も変更されることになる。そして、当該変更が、低温側目標温度の高い運転から、低い運転への変更である場合、熱源機１０では、バーナ１２ａの加熱が停止される。
そして、このとき、本体側制御部９５は、通信部９６を介して、加熱開始時期及び停止時期の情報は受信できなくなり、目標温度の推定ができなくなる。
そこで、上記実施形態の低温暖房運転においては、以下のように構成することが好ましい。
即ち、本体側制御部９５は、熱源機１０のバーナ１２ａにて熱媒Ｈが加熱されない時間である非加熱時間が、非加熱判定経過時間（例えば、２０分程度）を越えている場合、目標温度が低い側に変更されたと判定するように構成することが好ましい。
本体側制御部９５は、目標温度が低い側に変更されたと判定した場合には、排熱回収熱交換器５５での湯水Ｗへの排熱回収量を大幅に増やす等の制御を実行する。
【００８４】
（７）上記実施形態では、本体側制御部９５が、通信部９６を介して、熱源機１０から高温暖房運転と低温暖房運転とを判定可能な情報を取得できる例を示した。
しかしながら、本体側制御部９５は、高温側暖房運転と低温側暖房運転とを判定する情報を受信できない場合であっても、上記実施形態の低温暖房運転にて、示した目標温度を推定する制御を実行することにより、エネルギー効率の高いコージェネレーションシステムが実現できる。
【００８５】
（８）高温暖房運転、低温暖房運転の両運転において、コージェネレーションシステム４０の本体側が、目標温度を直接受信することができる場合には、上記実施形態の如く、目標温度を推定したり、本体側制御部９５に記憶したりすることなく、直接受信することが好ましい。
【００８６】
（９）上記実施形態において、低温暖房運転及び高温暖房運転では、熱媒Ｈによる回収熱量を制御するべく、排熱回収熱交換器５５を通過する湯水Ｗの流量を制御する例を示した。しかしながら、本願にあっては、排熱回収熱交換器５５の入口での湯水Ｗの温度を制御するように構成しても構わない。
上述の高温暖房運転の場合を例に説明を追加すると、図７に示す（♯０５）〜（♯０９）の制御が、以下の制御に置換される。
本体側制御部９５は、暖房用熱交換器５６からの熱媒Ｈの出温度である本体側出熱媒温度が、高温側目標温度（７５℃程度）を超える場合（♯０５）、暖房負荷がその時点で熱媒Ｈが回収する回収熱量よりも小さいということなので、熱媒Ｈの回収熱量を減少させるべく、湯水Ｗの排熱回収熱交換器５５の入口での湯水Ｗの温度を低下させる（♯０６）。
具体的には、本体側制御部９５が、貯湯タンク９５の側と、湯水バイパス路６７の側とを通流する湯水Ｗの流量比を、三方調整弁６８の開度を制御して、貯湯タンク９５の側を通流する湯水の流量を増加させる。
一方、本体側制御部９５は、暖房用熱交換器５６からの熱媒Ｈの出温度である本体側出熱媒温度が、高温側目標温度（７５℃程度）未満の場合（♯０５）、暖房負荷がその時点で熱媒Ｈが回収する回収熱量よりも大きいということなので、熱媒Ｈの回収熱量を増加させるべく、湯水Ｗの排熱回収熱交換器５５の入口での湯水Ｗの温度を上昇させる（♯０７）。
具体的には、本体側制御部９５が、三方調整弁６８の開度を制御して、貯湯タンク９５の側と、湯水バイパス路６７の側とを通流する湯水Ｗの流量比を、貯湯タンク９５の側を通流する湯水の流量を減少させる。
本体側制御部９５は、貯湯タンク９５側へ導かれる湯水Ｗの流量が下限値以下（またはゼロ、即ち、湯水Ｗの全量が湯水バイパス路６７側）になれば、湯水循環ポンプ６１を停止させる（♯０８〜♯０９）。
【産業上の利用可能性】
【００８７】
本発明は、コージェネレーションシステムの本体と、暖房放熱器へ循環される熱媒を加熱する熱源機とが別体に構成されているものにおいて、本体側と熱源機側とを適切に連携させた運転を実行することにより、全体としての熱効率を向上させながらも、熱交換器破れによる熱源機からの湯水の溢れ出しを防止可能なコージェネレーションシステムとして好適に利用可能である。
【符号の説明】
【００８８】
１０      ：熱源機
１６ａ    ：熱源機側熱媒受入部
１６ｂ    ：熱源機側熱媒吐出部
３３      ：暖房放熱器
３４      ：暖房用循環路
４０      ：コージェネレーションシステム
４１      ：熱電併給部
４２      ：冷却水循環路
５５      ：排熱回収熱交換器
５６      ：暖房用熱交換器
５８      ：熱媒流路
５８ａ    ：本体側熱媒受入部
５８ｂ    ：本体側熱媒吐出部
６０      ：加熱貯湯循環路
６１      ：循環ポンプ
９０      ：貯湯タンク
９５      ：本体側制御部
９６      ：通信
部１０４    ：本体側熱媒流路
Ｃ        ：冷却水
Ｈ        ：熱媒
Ｗ        ：湯水
【図１】
0006429850.tif 000002
【図２】
0006429850.tif 000003
【図３】
0006429850.tif 000004
【図４】
0006429850.tif 000005
【図５】
0006429850.tif 000006
【図６】
0006429850.tif 000007
【図７】
0006429850.tif 000008
【図８】
0006429850.tif 000009
【図９】
0006429850.tif 000010